(57)【要約】      （修正有）【課題】  従来例と同じ大きさの緩衝体を用いてテレビジョン受像機の梱包の耐衝撃性を改善する。【解決手段】  平面視前拡がり形状のキャビネット１１０を有するテレビジョン受像機１００の左右のコーナ部１０１，１０２に各別に樹脂発泡体１１，１２を配備する。一方側樹脂発泡体１１の後部に盗み凹所１６を形成するのに対して、他方側樹脂発泡体１２の後部に突出部１５を具備させる。突出部１５は、盗み凹所１６の成形によって生じる余剰肉を他方側樹脂発泡体１２に連設することによって形成する。キャビネット１１０の背面に対向する突出部１５と他方側樹脂発泡体１２の嵌合凹所１４の前面でなる前側係止面１４ａとによってテレビジョン受像機１００の前後方向の位置ずれを抑制する。【選択図】        図２
2005067715.tif 000002
【特許請求の範囲】
【請求項１】
平面視前拡がり形状のキャビネットを有するテレビジョン受像機の左右のコーナ部に各別に嵌合状に配備される一対の樹脂発泡体でなる梱包用緩衝体において、
一対の上記樹脂発泡体が、樹脂発泡成形体を左右方向中間部で２分割することによって形成されていて、一方側樹脂発泡体の後部に、分割面から左右方向外側に延びる盗み凹所が形成されているのに対して、他方側樹脂発泡体の後部に、一対の樹脂発泡体の分割面同士を合わせたときに、上記盗み凹所に嵌合される突出部が備わり、その突出部が上記キャビネットの背面に対向することによって、その突出部と他方側樹脂発泡体に具備されている嵌合凹所の前面でなる前側係止面との共働によって、テレビジョン受像機と他方側樹脂発泡体との前後方向での相対的な位置ずれが抑制されるようになっていることを特徴とする梱包用緩衝体。
【請求項２】
平面視前拡がり形状のキャビネットを有するテレビジョン受像機の左右のコーナ部に各別に嵌合状に配備される一対の樹脂発泡体でなる梱包用緩衝体において、
一対の上記樹脂発泡体が、それらを合わせた大きさに見合う大きさの樹脂発泡成形体を左右方向中間部で２分割することによって形成されていて、一方側樹脂発泡体の後部に、分割面から左右方向外側に延びる盗み凹所が形成されているのに対して、他方側樹脂発泡体の後部に、一対の樹脂発泡体の分割面同士を合わせたときに、上記盗み凹所に嵌合される突出部が備わり、その突出部がテレビジョン受像機の背面に対向するようになっていることを特徴とする梱包用緩衝体。
【請求項３】
他方側の上記樹脂発泡体に、上記テレビジョン受像機の前面に対向して上記突出部との共働によりそのテレビジョン受像機を前後方向で挟む前側係止面が備わっている請求項２に記載した梱包用緩衝体。
【請求項４】
請求項１ないし請求項３のいずれか１項に記載した梱包用緩衝体の一対の樹脂発泡体が、テレビジョン受像機の左右の上側のコーナ部に各別に嵌合状に配備されているのに対し、別の緩衝体を形成する一対の樹脂発泡体が、テレビジョン受像機の前後の下側のコーナ部に各別に嵌合状に配備されていることを特徴とするテレビジョン受像機の梱包構造。
【発明の詳細な説明】
【技術分野】
【０００１】
本発明は、梱包用緩衝体、特に、テレビジョン受像機の梱包に用いられる梱包用緩衝体に関する。また、本発明は、梱包用緩衝体を用いたテレビジョン受像機の梱包構造に関する。
【背景技術】
【０００２】
従来より、テレビジョン受像機を段ボール製の梱包箱に収納することによって形成される梱包は周知であり、その際に、テレビジョン受像機と梱包箱の箱壁との間の空間に緩衝体を介在させることによって、テレビジョン受像機に加わる衝撃を緩和させることも従来より知られている（たとえば、特許文献１又は特許文献２参照）。また、テレビジョン受像機の左右のコーナ部に各別に配備される一対の発泡体でなる梱包用緩衝体において、一対の発泡体の形状を対称形状にすることも従来より知られている（たとえば、特許文献３参照）。
【０００３】
他の従来例としての梱包用緩衝体の使用状態を図４に説明的に示してある。同図に示した緩衝体１を使用対象とするテレビジョン受像機１００は、平面視で前拡がり形状のキャビネット１１０を有していて、そのキャビネット１１０の後面中央部が後方へ突き出た膨出部１２０として形成されている。これに対し、緩衝体１は、テレビジョン受像機１００の左右のコーナ部１０１，１０２に各別に嵌合状に配備される一対の樹脂発泡体１１，１２でなり、それぞれの樹脂発泡体１１，１２には、上記各コーナ部１０１，１０２に対する嵌合凹所１３，１４が備わり、それらの嵌合凹所１３，１４の前面及び後面が、それぞれ前側係止面１３ａ，１４ａ及び後側係止面１３ｂ，１４ｂとして形成されている。そして、図４に実線で示したように、テレビジョン受像機１００の左右のコーナ部１０１，１０２に各別に一対の樹脂発泡体１１，１２を嵌合状に配備したときには、それぞれの樹脂発泡体１１，１２の前側係止面１３ａ，１４ａと後側係止面１３ｂ，１４ｂとによってテレビジョン受像機１００が前後方向で挾まれて、緩衝体１とテレビジョン受像機１００との相対的な前後方向の位置ずれが防止されるようになっている。
【０００４】
図４で説明した従来例の緩衝体１は、同図のようにテレビジョン受像機１００の左右のコーナ部１０１，１０２に嵌合状に配備された状態で、テレビジョン受像機１００と共に梱包箱に収納される。
【０００５】
【特許文献１】特開平１０−１６７３２４号公報
【特許文献２】特開２００２−２１１６４６号公報
【特許文献３】実開昭５７−１２３７６８号公報
【発明の開示】
【発明が解決しようとする課題】
【０００６】
しかしながら、図４で説明した従来例では、梱包に衝撃が加わったような場合に、その衝撃で樹脂発泡体１１，１２がキャビネット１１０の前拡がり面を滑ってたとえば仮想線のように位置ずれし、テレビジョン受像機１００の最も後方に位置している膨出部１２０の背面、すなわちテレビジョン受像機１００の背面１２１が左右の樹脂発泡体１１，１２の間から後方へ突き出すという事態の起こることがあり、そのような事態が起こったために膨出部１２０に亀裂や割れを生じることがあるという問題があった。
【０００７】
このような事態を起こりにくくする対策として、左右の樹脂発泡体１１，１２の嵌合凹所１３，１４の後壁部分の肉厚を厚くすることによって、樹脂発泡体１１，１２が位置ずれしてもテレビジョン受像機１００の背面がそれらの間から後方へ突き出すという事態を起こりにくくすることが行われていた。しかし、そのようにすると、緩衝体１が大形化して梱包の大きさが大きくなり、それだけ運搬コストが高くついてしまうという問題があった。
【０００８】
また、梱包の大きさを大きくすることなく、別の緩衝体をテレビジョン受像機の背部に取り付けるという対策を講じることもあったけれども、そのようにすると、緩衝体が余分に必要になってそれだけ梱包コストが嵩むようになるという問題があった。
【０００９】
本発明は以上の問題に鑑みてなされたものであり、緩衝体を大形化することなく、また、別の緩衝体を余分に設けることなく、テレビジョン受像機と緩衝体との相対的な位置ずれを起こりにくくすることによって、テレビジョン受像機の衝撃による損壊を抑える性能に優れた梱包用緩衝体を提供することを目的とする。
【００１０】
また、本発明は、緩衝体を形成している左右一対の樹脂発泡体の嵌合凹所の側壁部分の肉厚を薄くすることができるような対策を講じることによって、梱包サイズを小さくすることのできるテレビジョン受像機の梱包構造を提供することを目的とする。
【課題を解決するための手段】
【００１１】
本発明に係る梱包用緩衝体は、平面視前拡がり形状のキャビネットを有するテレビジョン受像機の左右のコーナ部に各別に嵌合状に配備される一対の樹脂発泡体でなる。そして、一対の上記樹脂発泡体が、それらを合わせた大きさに見合う大きさの樹脂発泡成形体を左右方向中間部で２分割することによって形成されていて、一方側樹脂発泡体の後部に、分割面から左右方向外側に延びる盗み凹所が形成されているのに対して、他方側樹脂発泡体の後部に、一対の樹脂発泡体の分割面同士を合わせたときに、上記盗み凹所に嵌合される突出部が備わり、その突出部がテレビジョン受像機の背面に対向するようになっている。
【００１２】
この構成を備えた梱包用緩衝体であれば、他方側樹脂発泡体の突出部がテレビジョン受像機の背面に対向して両者の前後方向での位置ずれを抑制する機能を発揮するので、衝撃を受けたときにテレビジョン受像機の背面が緩衝体の後方へ突き出すという事態が起こり得ない。そのために、テレビジョン受像機のキャビネットが亀裂や割れなどの損壊を起こしにくくなる。また、他方側樹脂発泡体の突出部は、一方側樹脂発泡体の盗み凹所の肉を他方側樹脂発泡体側に具備させることによって形成することができるので、一対の樹脂発泡体を形成するための樹脂発泡成形体の大きさ、特にそれの前後方向の長さとして、図４で説明した一対の樹脂発泡体を形成するための樹脂発泡成形体の前後方向の長さと同じ寸法を選定することが可能になる。そのため、緩衝体が大形化することはなく、別の緩衝体を余分に設ける必要もなくなる。
【００１３】
本発明では、他方側の上記樹脂発泡体に、上記テレビジョン受像機の前面に対向して上記突出部との共働によりそのテレビジョン受像機を前後方向で挟む前側係止面が備わっていることが望ましい。これによれば、テレビジョン受像機と他方側樹脂発泡体との前後方向での位置ずれが生じなくなり、緩衝体に要求される、テレビジョン受像機の衝撃による損壊を抑える性能（耐衝撃性）が向上する。
【００１４】
本発明に係る梱包用緩衝体は、平面視前拡がり形状のキャビネットを有するテレビジョン受像機の左右のコーナ部に各別に嵌合状に配備される一対の樹脂発泡体でなる梱包用緩衝体において、一対の上記樹脂発泡体が、樹脂発泡成形体を左右方向中間部で２分割することによって形成されていて、一方側樹脂発泡体の後部に、分割面から左右方向外側に延びる盗み凹所が形成されているのに対して、他方側樹脂発泡体の後部に、一対の樹脂発泡体の分割面同士を合わせたときに、上記盗み凹所に嵌合される突出部が備わり、その突出部が上記キャビネットの背面に対向することによって、その突出部と他方側樹脂発泡体に具備されている嵌合凹所の前面でなる前側係止面との共働によって、テレビジョン受像機と他方側樹脂発泡体との前後方向での相対的な位置ずれが抑制されるようになっている、という構成にすることも可能である。この発明の作用は後述する実施形態を参照して詳細に説明する。
【００１５】
本発明に係るテレビジョン受像機の梱包構造は、上記した梱包用緩衝体の一対の樹脂発泡体が、テレビジョン受像機の左右の上側のコーナ部に各別に嵌合状に配備されているのに対し、別の緩衝体を形成する一対の樹脂発泡体が、テレビジョン受像機の前後の下側のコーナ部に各別に嵌合状に配備されている。これによれば、テレビジョン受像機の前後の下側のコーナ部に各別に嵌合状に配備されている別の緩衝体の一対の樹脂発泡体により左右方向での位置決め作用が発揮され、テレビジョン受像機の左右の上側のコーナ部に各別に嵌合状に配備されている緩衝体の一対の樹脂発泡体により前後方向での位置決め作用が発揮されるので、それぞれの樹脂発泡体の嵌合凹所の周囲の肉厚を薄くすることが可能になり、そのことが、梱包の小形化を促進することに役立つ。
【発明の効果】
【００１６】
本発明に係る梱包用緩衝体は、他方側樹脂発泡体の突出部が、衝撃によってテレビジョン受像機の背面が緩衝体の後方へ突き出すという事態を防ぐ機能を発揮するので、テレビジョン受像機のキャビネットが亀裂や割れなどの損壊を起こしにくくなる。また、他方側樹脂発泡体の突出部は、一方側樹脂発泡体の盗み凹所の肉を他方側樹脂発泡体側に具備させることによって形成することができるので、梱包の大形化を来さず、別の緩衝体を余分に設ける必要もないので、梱包コストが安くつく。
【００１７】
また、本発明に係るテレビジョン受像機の梱包構造によると、樹脂発泡体の嵌合凹所の周囲の肉厚を薄くすることが可能になって梱包の小形化が促進される。
【発明を実施するための最良の形態】
【００１８】
図１は本発明の実施形態に係る梱包用緩衝体１の平面図、図２は同緩衝体の使用状態説明図、図３はテレビジョン受像機の梱包構造での緩衝体の配置状態を示した説明図である。なお、図１又は図２に示した実施形態の緩衝体１は、図４で説明した従来の緩衝体１の使用対象であるテレビジョン受像機１００と同じ外観形状及び大きさのテレビジョン受像機を使用対象している。また、以下の説明では、図４で説明したものと同一又は相応する部分には同一符号を付してある。
【００１９】
図１又は図２のように、この緩衝体１は左右一対の非対称な形状を備えた樹脂発泡体１１，１２でなり、それぞれの樹脂発泡体１１，１２にはテレビジョン受像機１００の上側の左右のコーナ部１０１，１０２が嵌まり込む嵌合凹所１３，１４が備わっている。そして、これらの嵌合凹所１３，１４はその前面が前側係止面１３ａ，１４ａとして形成されているのに対し、その後面が後側係止面１３ｂ，１４ｂとして形成されている。
【００２０】
図１によって類推することができるように、一対の樹脂発泡体１１，１２は、それらを合わせた大きさに見合う大きさの樹脂発泡成形体を左右方向中間部で２分割することによって形成されていて、一方側樹脂発泡体１１の後部に、分割面１１ａから左右方向外側に延びる盗み凹所１６が形成されているのに対して、他方側樹脂発泡体１２の後部に板片状の突出部１５が備わっている。そして、一対の樹脂発泡体１１，１２のそれぞれの分割面１１ａ，１２ａ同士を図１のように合わせたときには、突出部１５が盗み凹所１６内に突き出してその盗み凹所１６に嵌合されるようになっている。
【００２１】
以上の構成を備えた緩衝体１では、樹脂発泡成形体を左右方向中間部で２分割する際に、一方側樹脂発泡体１１の盗み凹所１６の肉を他方側樹脂発泡体側１２に具備させることによって他方側樹脂発泡体１２の板片状の突出部１５を形成することができる。さらにこの点を具体的に説明すると、図１に示した形状の一対の樹脂発泡体１１，１２は、成形空間内で原料樹脂を発泡させることによって同時に成形されるのであって、その成形の際には、一方側樹脂発泡体１１の盗み凹所１６の成形と、その盗み凹所１６を成形する上で生じる余剰の肉を他方側樹脂発泡体１２に連設させる成形とが行われる。また、その成形の際には、一対の樹脂発泡体１１，１２を連設する折曲げ破断可能な薄肉領域の成形も行われる。そして、成形後に、薄肉領域を折曲げ破断することによって一対の樹脂発泡体１１，１２が個別に分割されて使用に供される。
【００２２】
一対の樹脂発泡体１１，１２の形状を図１のように定めておくと、それらの樹脂発泡体１１，１２を形成するための樹脂発泡成形体の大きさ、特に、樹脂発泡成形体の前後方向の長さとして、図４で説明した一対の樹脂発泡体１１，１２を形成するための樹脂発泡成形体の前後方向の長さと同じ寸法を選定して、上記した盗み凹所１６と突出部１５とを形成することが可能になる。したがって、そのようにすることによって、一対の樹脂発泡体１１，１２でなる緩衝体１の大きさが図４で説明した従来の緩衝体１と同じ大きさになる。
【００２３】
図２のように、一対の樹脂発泡体１１，１２は、それらの嵌合凹所１３，１４を利用して、図４で説明したものと同様のテレビジョン受像機１００、すなわち、平面視で前拡がり形状のキャビネット１１０を有し、そのキャビネット１１０の後面中央部が後方へ突き出た膨出部１２０として形成されているテレビジョン受像機１００の左右の上側のコーナ部１０１，１０２に各別に嵌合状に配備される。そして、そのように配備した状態では、それぞれの樹脂発泡体１１，１２の前側係止面１３ａ，１４ａと後側係止面１３ｂ，１４ｂとによってテレビジョン受像機１００が前後方向で挾まれて、緩衝体１とテレビジョン受像機１００との前後方向での相対的な位置ずれが抑制される。また、他方側樹脂発泡体１２の板片状の突出部１５が、テレビジョン受像機１００のキャビネット１１０の背面、図例では膨出部１２０の背面１２１に対向することによって、その突出部１５と他方側樹脂発泡体１２の前側係止面１４ａとの共働によっても、テレビジョン受像機１００と他方側樹脂発泡体１２との前後方向での相対的な位置ずれが抑制されるようになっている。
【００２４】
図２のようにテレビジョン受像機１００の左右のコーナ部１０１，１０２に嵌合状に配備された一対の樹脂発泡体１１，１２は、テレビジョン受像機１００と共に梱包箱（図２に不図示）に収納されることによってテレビジョン受像機の梱包が形成される。
【００２５】
このようなテレビジョン受像機の梱包においては、他方側樹脂発泡体１２の突出部１５がテレビジョン受像機１００のキャビネット１１０の背面１２１に対向しており、しかも、その突出部１５と他方側樹脂発泡体１２の前側係止面１４ａとの共働によってテレビジョン受像機１００と他方側樹脂発泡体１２との前後方向での相対的な位置ずれが抑制されるようになっているので、落下衝撃などの衝撃が加わってもキャビネット１１０の背面１２１が突出部１２０の後方へ突き出すという事態が起こり得ない。この場合、一方側樹脂発泡体１１はその前側係止面１３ａと後側係止面１３ｂとでテレビジョン受像機１００を前後方向で挟んで両者の前後方向での相対的位置ずれを抑制しているだけであるので、梱包に衝撃が加わった場合にはその衝撃で一方側樹脂発泡体１１がキャビネット１１０の前拡がり面を滑ってたとえば仮想線のように位置ずれすることがあり得るけれども、他方側樹脂発泡体１２の突出部１５が、テレビジョン受像機１００の最も後方に位置している膨出部１２０の背面１２１に対向した状態はそのまま維持されるので、その膨出部１２０が左右の樹脂発泡体１１，１２の間から後方へ突き出すという事態の起こるおそれはない。したがって、衝撃で膨出部１２０に亀裂や割れを生じることを抑制する作用が、図４で説明した従来の場合よりも顕著に発揮される。なお、衝撃が加わった場合には、テレビジョン受像機１００が他方側樹脂発泡体１２の弾力性に抗して前後に位置ずれすることより、図２に仮想線で示したように突出部１５が膨出部１２０の背面に弾圧したり、あるいは、他方側樹脂発泡体１２がキャビネット１１０の前拡がり面を滑って傾いたりすることがあり得るけれども、それらの場合でも、突出部１５は常に膨出部１２０の背面１２１に対向した状態を維持するので、膨出部１２０が突出部１２０の後方へ突き出すという事態が起こり得ない。
【００２６】
次に、テレビジョン受像機の梱包構造についての実施形態を図３を参照して説明する。この梱包構造では、段ボール製の梱包箱５の左右の上側コーナ部５１，５２に、図示していないテレビジョン受像機の左右の上側コーナ部に嵌合状に配備された緩衝体１、すなわち図１又は図２で説明した緩衝体１の一方側樹脂発泡体１１と他方側樹脂発泡体１２とが各別に配備される。また、梱包箱５の前後の下側コーナ部５３，５４に、図示していないテレビジョン受像機の前後の下側コーナ部に嵌合状に各別に配備された前側樹脂発泡体２１と後側樹脂発泡体２２とが配備される。これらの前側樹脂発泡体２１と後側樹脂発泡体２２とは、図１又は図２で説明した緩衝体１とは別の緩衝体２を形成している。そして、前側樹脂発泡体２１は、その嵌合凹所２３の左右の側面２３ａ，２３ａによってテレビジョン受像機の前部を左右方向で挾み、後側樹脂発泡体２２は、その嵌合凹所２４の左右の側面２４ａによってテレビジョン受像機の後部を左右方向で挾む。そのため、テレビジョン受像機と緩衝体２との左右方向での相対的位置ずれが防止されている。
【００２７】
この梱包構造によると、下側に配備されている緩衝体２がテレビジョン受像機を左右方向で位置決めするので、上側に配備されている緩衝体１の一対の樹脂発泡体１１，１２の嵌合凹所１３，１４の側壁部分１６，１７（図２参照）が、衝撃を受けたテレビジョン受像機との干渉によって破断されにくくなる。そのため、それらの側壁部分１６，１７を薄くしても緩衝体１による緩衝作用が損なわれない。同様に、上側に配備されている緩衝体１がテレビジョン受像機を前後方向で位置決めするので、下側に配備されている緩衝体２の一対の樹脂発泡体２１，２２の嵌合凹所２３，２４の側壁部分２６，２７（図３参照）が、衝撃を受けたテレビジョン受像機との干渉によって破断されにくくなる。そのため、それらの側壁部分２６，２７を薄くしても緩衝体２による緩衝作用が損なわれない。したがって、この梱包構造によると、上側に配備されている緩衝体１の一対の樹脂発泡体１１，１２の嵌合凹所１３，１４の側壁部分１６，１７を薄くし、かつ、下側に配備されている緩衝体２の一対の樹脂発泡体２１，２２の嵌合凹所２３，２４の側壁部分２６，２７を薄くすることによって、梱包全体の前後方向や左右方向の各寸法を短くしてそのサイズの小形化を図りやすくなる。その上、図２で説明したように、衝撃でキャビネット１１０の膨出部１２０に亀裂や割れを生じることを抑制する作用が、図４で説明した従来の場合よりも顕著に発揮されるという利点がある。
【図面の簡単な説明】
【００２８】
【図１】本発明の実施形態に係る梱包用緩衝体の平面図である。
【図２】同緩衝体の使用状態説明図である。
【図３】テレビジョン受像機の梱包構造での緩衝体の配置状態を示した説明図である。
【図４】従来の緩衝体の使用状態説明図である。
【符号の説明】
【００２９】
１  緩衝体
２  別の緩衝体
１１，１２  樹脂発泡体
１３，１４  嵌合凹所
１４ａ  前側係止面
１５  突出部
１６  盗み凹所
２１，２２  樹脂発泡体
１１０  キャビネット
１００  テレビジョン受像機
１０１，１０２  テレビジョン受像機の左右のコーナ部
【図１】
2005067715.tif 000003
【図２】
2005067715.tif 000004
【図３】
2005067715.tif 000005
【図４】
2005067715.tif 000006